(57)【要約】【課題】発電した電力を複数の装置で有効に利用して画像を表示することができる画像表示システム、画像表示装置、及びプログラムを提供する。【解決手段】画像を表示する第１表示部と光から電力を生成する第１発電部とを有する第１表示装置と、画像を表示する第２表示部と光から電力を生成する第２発電部とを有する第２表示装置と、前記第１表示部又は前記第２表示部に電力を供給する経路を、前記第１発電部と前記第２発電部との発電状態に応じて、前記第１発電部が生成する電力を前記第２表示部に供給する第１経路、又は、前記第２発電部が生成する電力を前記第１表示部に供給する第２経路となるように制御する制御部とを備えることを特徴とする画像表示システム。【選択図】図３
2014021906.tif 000002
【特許請求の範囲】
【請求項１】
画像を表示する第１表示部と光から電力を生成する第１発電部とを有する第１表示装置と、
画像を表示する第２表示部と光から電力を生成する第２発電部とを有する第２表示装置と、
前記第１表示部又は前記第２表示部に電力を供給する経路を、前記第１発電部と前記第２発電部との発電状態に応じて、前記第１発電部が生成する電力を前記第２表示部に供給する第１経路、又は、前記第２発電部が生成する電力を前記第１表示部に供給する第２経路となるように制御する制御部と
を備えることを特徴とする画像表示システム。
【請求項２】
前記制御部は、
前記第１発電部が生成する電力と前記第２発電部が生成する電力との供給を前記発電状態に応じて制御する
ことを特徴とする請求項１に記載の画像表示システム。
【請求項３】
前記第１表示装置は、
前記第１発電部が生成した第１電力量に応じて変化する第１物理量を検出し、前記検出した第１物理量に基づいて前記第１発電部の発電状態を検出する第１検出部
を備え、
前記第２表示装置は、
前記第２発電部が生成した第２電力量に応じて変化する第２物理量を検出し、前記検出した第２物理量に基づいて前記第２発電部の発電状態を検出する第２検出部
を備え、
前記制御部は、
前記検出された第１物理量と前記検出された第２物理量とに基づいて前記電力を供給する経路を制御する
ことを特徴とする請求項１又は請求項２に記載の画像表示システム。
【請求項４】
前記制御部は、
前記第１発電部が生成する第１電力量と前記第２発電部が生成する第２電力量との総和が多くなるように、前記検出された第１物理量と前記検出された第２物理量とに基づいて前記電力を供給する経路を制御する
ことを特徴とする請求項３に記載の画像表示システム。
【請求項５】
前記第１発電部と前記第２発電部とが生成した電力のうち一部の電力を蓄積する蓄電部と、
前記第１発電部と前記第２発電部とが生成した電力を前記蓄電部に供給する経路と前記蓄電部から供給される電力を前記第１表示部又は前記第２表示部に供給する経路とをそれぞれ切り替える経路切替部と
を備え、
前記制御部は、
前記第１表示部又は前記第２表示部に電力を供給する経路を切り替えるように前記経路切替部を制御する
ことを特徴とする請求項３又は請求項４に記載の画像表示システム。
【請求項６】
前記経路切替部は、
前記第１発電部と前記第２発電部とからの電力を前記蓄電部に供給する経路を、前記制御部からの制御に応じて、前記第１発電部と前記第２発電部とを直列に接続する経路と前記第１発電部と前記第２発電部とを並列に接続する経路とのうちの何れかの経路に切り替える
ことを特徴とする請求項５に記載の画像表示システム。
【請求項７】
前記経路切替部は、
前記制御部からの制御に応じて、前記第１発電部と前記第２発電部とを直列に接続する経路に含まないように、前記第１発電部又は前記第２発電部をバイパスさせる経路に切り替える
ことを特徴とする請求項５又は請求項６に記載の画像表示システム。
【請求項８】
前記制御部は、
前記蓄積された電力を前記第２表示部に供給する経路と前記蓄積された電力を前記第１表示部に供給する経路とを、前記発電状態を示す情報に応じて切り替えるように制御する
ことを特徴とする請求項５から請求項７の何れか１項に記載の画像表示システム。
【請求項９】
前記制御部は、
前記第１表示部と前記第２表示部とのうち消費電力が大きくなる表示部を推定して、前記蓄積した電力を前記推定した表示部に対して供給する経路を設定する
ことを特徴とする請求項８に記載の画像表示システム。
【請求項１０】
前記第１表示部と前記第２表示部とは、
表示する画像を更新する処理を行う期間の消費電力より消費電力を低減させて、前記更新された画像の表示を保持し、
前記制御部は、
前記第２表示部の画像を更新する処理の期間に応じて、前記蓄積された電力を前記第２表示部に供給する経路と、前記第１表示部の画像を更新する処理の期間に応じて、前記蓄積された電力を前記第１表示部に供給する経路とを、前記発電状態を示す情報に応じて切り替えるように制御する
ことを特徴とする請求項８又は請求項９に記載の画像表示システム。
【請求項１１】
前記第１表示装置は、
前記検出された第１電力量が予め定められた所定の値に満たない場合には、前記第１表示部における消費電力を低減するように、前記第１表示部の表示を制御する表示制御部
を備えることを特徴とする請求項３から請求項１０の何れか１項に記載の画像表示システム。
【請求項１２】
画像を表示する第１表示部と、
光から電力を生成する第１発電部と、
自画像表示装置と異なる画像表示装置が、画像を表示する第２表示部と光から電力を生成する第２発電部とを有するものであり、前記第１表示部又は前記第２表示部に電力を供給する経路を、前記第１発電部と前記第２発電部との発電状態に応じて、前記第１発電部が生成する電力を前記第２表示部に供給する第１経路、又は、前記第２発電部が生成する電力を前記第１表示部に供給する第２経路となるように制御する制御部と、
を備えることを特徴とする画像表示装置。
【請求項１３】
画像を表示する第１表示部と光から電力を生成する第１発電部とを有する第１表示装置と、
画像を表示する第２表示部と光から電力を生成する第２発電部とを有する第２表示装置と、
を備える画像表示システムのコンピュータに、
前記第１表示部又は前記第２表示部に電力を供給する経路を、前記第１発電部と前記第２発電部との発電状態に応じて、前記第１発電部が生成する電力を前記第２表示部に供給する第１経路、又は、前記第２発電部が生成する電力を前記第１表示部に供給する第２経路となるように制御するステップ
を実行させるためのプログラム。
【請求項１４】
画像を表示する第１表示部と光から電力を生成する第１発電部とを備える画像表示装置のコンピュータに、
自画像表示装置と異なる画像表示装置が、画像を表示する第２表示部と光から電力を生成する第２発電部とを有するものであり、
前記第１表示部又は前記第２表示部に電力を供給する経路を、前記第１発電部と前記第２発電部との発電状態に応じて、前記第１発電部が生成する電力を前記第２表示部に供給する第１経路、又は、前記第２発電部が生成する電力を前記第１表示部に供給する第２経路となるように制御するステップ
を実行させるためのプログラム。
【発明の詳細な説明】
【技術分野】
【０００１】
本発明は、画像表示システム、画像表示装置、及びプログラムに関する。
【背景技術】
【０００２】
デジタルフォトフレームに代表される画像表示装置において、表示部と太陽電池を備えることで、太陽電池が発電した電力によって、表示部への表示を制御するものが考案されている。
また、複数の太陽電池を備える電源装置において、太陽電池が発電した電力を効率よく利用するための技術が考案されている（例えば、特許文献１参照）。
【先行技術文献】
【特許文献】
【０００３】
【特許文献１】特開２０１１−１８１０１２号公報
【発明の概要】
【発明が解決しようとする課題】
【０００４】
しかしながら、画像表示装置が太陽電池を備えていても、太陽電池が故障したり、受光量が少なく十分な電力を発電できなかったりすることにより、太陽電池が発電する電力が低下することがある。特許文献１に示されるように太陽電池が発電した電力を効率よく利用しようとしても、太陽電池が発電する電力が低下した場合には、必要とされる量の電力を太陽電池から得られなくなって表示部の表示が行えなくなるという問題がある。
本発明は上記問題を解決すべくなされたもので、その目的は、発電した電力を複数の装置で有効に利用して画像を表示することができる画像表示システム、画像表示装置、及びプログラムを提供する。
【課題を解決するための手段】
【０００５】
本発明の第１の態様の画像表示システムは、画像を表示する第１表示部と光から電力を生成する第１発電部とを有する第１表示装置と、画像を表示する第２表示部と光から電力を生成する第２発電部とを有する第２表示装置と、前記第１表示部又は前記第２表示部に電力を供給する経路を、前記第１発電部と前記第２発電部の発電状態に応じて、前記第１発電部が生成する電力を前記第２表示部に供給する第１経路、又は、前記第２発電部が生成する電力を前記第１表示部に供給する第２経路となるように制御する制御部とを備えることを特徴とする。
【０００６】
本発明の第２の態様の画像表示装置は、画像を表示する第１表示部と光から電力を生成する第１発電部と、自画像表示装置と異なる画像表示装置が、画像を表示する第２表示部と光から電力を生成する第２発電部とを有するものであり、前記第１表示部又は前記第２表示部に電力を供給する経路を、前記第１発電部と前記第２発電部との発電状態に応じて、前記第１発電部が生成する電力を前記第２表示部に供給する第１経路、又は、前記第２発電部が生成する電力を前記第１表示部に供給する第２経路となるように制御する制御部と、を備えることを特徴とする。
【０００７】
本発明の第３の態様のプログラムは、画像を表示する第１表示部と光から電力を生成する第１発電部とを有する第１表示装置と、画像を表示する第２表示部と光から電力を生成する第２発電部とを有する第２表示装置と、を備える画像表示システムのコンピュータに、前記第１表示部又は前記第２表示部に電力を供給する経路を、前記第１発電部と前記第２発電部との発電状態に応じて、前記第１発電部が生成する電力を前記第２表示部に供給する第１経路、又は、前記第２発電部が生成する電力を前記第１表示部に供給する第２経路となるように制御するステップを実行させる。
【０００８】
本発明の第４の態様のプログラムは、画像を表示する第１表示部と光から電力を生成する第１発電部とを備える画像表示装置のコンピュータに、自画像表示装置と異なる画像表示装置が、画像を表示する第２表示部と光から電力を生成する第２発電部とを有するものであり、前記第１表示部又は前記第２表示部に電力を供給する経路を、前記第１発電部と前記第２発電部との発電状態に応じて、前記第１発電部が生成する電力を前記第２表示部に供給する第１経路、又は、前記第２発電部が生成する電力を前記第１表示部に供給する第２経路となるように制御するステップを実行させる。
【発明の効果】
【０００９】
本発明によれば、発電した電力を複数の装置で有効に利用することができる。
【図面の簡単な説明】
【００１０】
【図１】本実施形態における画像表示システムを示す図である。
【図２】本実施形態における画像表示システムの構成を示す図である。
【図３】本実施形態における経路切替部の構成例を示す図である。
【図４】経路切替部におけるスイッチの設定を示す図である。
【図５】本実施形態における経路切替部において設定した経路を示す図である。
【図６】図５に示す構成に対応する発電量を示す図である。
【図７】本実施形態における経路切替部において設定した経路を示す図である。
【図８】前述の図７に示す構成に対応する発電量を示す図である。
【図９】本実施形態における電力供給制御のフローチャートである。
【発明を実施するための形態】
【００１１】
以下、本発明の一実施形態について、図面を参照して説明する。
本実施形態における画像表示システムは、画像を表示する表示部と光から電力を生成する発電部とを有する複数の画像表示装置において、発電した電力の供給を制御することにより、発電した電力を複数の画像表示装置で有効に利用して画像を表示する。
【００１２】
図１は、本実施形態における画像表示システムを示す図である。
この図１に示されている画像表示システム１は、複数の画像表示装置を利用して情報（画像）を表示する。
画像表示システム１が備える複数の画像表示装置として、画像表示装置１００Ａ、１００Ｂ、１００Ｃ（以下、纏めて示す場合には単に「画像表示装置１００」という。）が示されている。
【００１３】
画像表示装置１００Ａ（第１表示装置）の筐体５０Ａには、表示部１１０Ａ（図３、（第１表示部））の表示面１１Ａと、発電部１２０Ａ（図３、（第１発電部））の受光面１２Ａとが筐体５０Ａの表面に設けられている。例えば、表示面１１Ａと受光面１２Ａとが、多面体として構成されている筐体５０Ａにおける同一の面（正面５１Ａ（図３））に設けられており、表示面１１Ａと受光面１２Ａのそれぞれの法線の方向が略同一となっている。また、表示面Ａの各辺は、受光面１２Ａによって囲まれている。要するに、受光面１２Ａは、画像表示装置１００Ａ（フォトフレーム）における表示面１１Ａの周囲を取り巻くフレーム部になる。
画像表示装置１００Ｂ（第２表示装置）の筐体５０Ｂには、画像表示装置１００Ａと同様に、表示部１１０Ｂ（図３、（第２表示部））の表示面１１Ｂと、発電部１２０Ｂ（図３、（第２発電部））の受光面１２Ｂとが筐体５０Ｂの表面に設けられている。
画像表示装置１００Ｃの筐体５０Ｃには、画像表示装置１００Ａと同様に、表示面１１Ｃと、受光面１２Ｃとが筐体５０Ｃの表面に設けられている。
【００１４】
このような、画像表示装置１００は、ユーザーが必要とする任意の位置に配置することができ、互いに隣接して設けられていても良い。例えば、図に示されるように、画像表示装置１００Ａ、画像表示装置１００Ｂ、画像表示装置１００Ｃを、画像表示装置１００Ｃの表示面１１Ｃの法線方向にずらして配置したり、表示面１１Ｃの法線方向と直交する方向における表示面１１Ａ、表示面１１Ｂ、表示面１１Ｃの配置間隔（ピッチ）を所望の間隔に揃えてタイル状に配置したり、ユーザーは画像表示装置１００の配置を適宜選択することができる。
なお、互いに隣接して設けられている画像表示装置１００であっても、「画像表示装置１００の近傍にある何ものかが遮光して、画像表示装置１００の表示面に影を落とす場合」や、「画像表示装置１００が配置された位置の近傍の光（環境光）が不均一になることによって、並べて配置された画像表示装置１００にそれぞれ照射される光量に差が生じる場合」に、受光面の一部或は全部が遮蔽された状態（或は、発電量を確保するための光量が不十分な状態）が発生する虞がある。画像表示システム１は、上記の場合に起因して受光面の一部或は全部が遮蔽された状態（或は、発電量を確保するための光量が不十分な状態）が仮に発生しても、画像表示装置１００はそれぞれの状態に柔軟に対応することにより、画像表示装置１００に照射される光量の変化に応じて表示可能な状態を継続することができる。
【００１５】
図２を参照し、本実施形態における画像表示システムの構成を説明する。
図２は、本実施形態における画像表示システムの構成を示す図である。
この図２に示される画像表示システム１は、画像表示装置１００Ａ、１００Ｂ、１００Ｃを備える。なお、画像表示装置１００Ａ、１００Ｂ、１００Ｃは、蓄電部（１４０）及び制御部（１９０）についての構成が相違する以外は、同様の構成を備えており、「Ａ」、「Ｂ」、「Ｃ」を符号の後に付けることにより、それぞれの構成を区別する。以下の説明では、画像表示装置１００Ａを代表して説明することにより、画像表示装置１００Ａの説明に共通する画像表示装置１００Ｂ、１００Ｃの詳細な説明を省略する。
【００１６】
画像表示装置１００Ａは、表示部１１０Ａ、発電部１２０Ａ、電源部１３０Ａ、検出部１２５Ａ、蓄電部１４０Ａ、経路切替部１５０Ａ、通信部１６０Ａ、操作部１７０Ａ、記憶部１８０Ａ、制御部１９０Ａを備える。
表示部１１０Ａは、表示面１１Ａにおいて所望の画像を電子的に表示する。
本実施形態における表示部１１０Ａは、いわゆる電子ペーパーである。電子ペーパーは、画像を更新する期間以外の消費電力を低減することができるので、表示した画像を保持する期間の省電力化を必要とする場合に好適である。なお、表示部１１０Ａは、液晶表示パネル、ＬＥＤ表示パネル、ＥＬ表示パネルなどを適用することも可能である。表示部１１０Ａに表示する所望の画像は、画像表示装置１００Ａ外部から供給される画像情報に基づいた画像であってもよく、或は、予め画像表示装置１００Ａ内部に記憶されている画像情報に基づいた画像であってもよい。
【００１７】
発電部１２０Ａは、受光面１２Ａにおいて受けた光から電力を発生させて、出力する。本実施形態における発電部１２０Ａは、例えば、複数のセルを有する太陽電池であり、受光面の照度と、受光面積に応じて発電量が変化する。なお、電力を発生させる光は、自然光であるか、人工光であるかを問わず、画像表示装置１００Ａの外部から照射される所定の光量の光であればよい。なお、発電部１２０Ａは、電力を光から発生させるものであればよく、太陽電池に限るものではない。
【００１８】
検出部１２５Ａ（第１検出部）は、発電部１２０Ａが生成した第１電力量に応じて変化する第１物理量を検出し、検出した第１物理量に基づいて発電部１２０Ａの発電状態を検出する。
上記の第１物理量とは、発電部１２０Ａが生成する電力量に応じて変化する物理量のことであり、例えば、検出部１２５Ａ（第１検出部）が検出した発電部１２０Ａが生成した第１電力量に応じて変化する電圧、電流又は電力量のことである。
検出部１２５Ａ（第１検出部）は、検出した第１物理量に基づいて発電部１２０Ａの発電状態を示す情報を生成する。
【００１９】
電源部１３０Ａは、経路切替部１５０Ａを介して、蓄電部１４０Ａ（蓄電部）に蓄えられた電力の供給を受け、供給を受けた電力を画像表示装置１００Ａの各部に供給する。
【００２０】
蓄電部１４０Ａ（蓄電部）は、各装置において発電部がそれぞれ光から発生させた電力を蓄電する。例えば、蓄電部１４０Ａは、供給された電力を蓄えることができる各種２次電池、又は、静電容量素子（コンデンサ）である。
本実施形態における蓄電部１４０Ａ（蓄電部）は、発電部１２０Ａと発電部１２０Ｂ等が生成した電力のうち一部の電力を蓄積する。
なお、蓄電部１４０Ａ（蓄電部）は、本実施形態のように何れかの装置に集中して配置してもよく、複数の装置に分散して配置してもよい。分散して配置した場合には、互いに並列になるように接続して、蓄積可能な容量を確保するように構成する。
【００２１】
経路切替部１５０Ａ（経路切替部）は、発電部１２０Ａが光から発生させた電力の供給を受け、供給された電力のうち一部の電力を蓄電部１４０Ａに蓄電される。
経路切替部１５０Ａは、他の画像表示装置１００Ｂ、１００Ｃなどから経路切替部１５０Ａを介して電力の供給を受け、供給された電力を蓄電部１４０Ａに蓄電させる。
経路切替部１５０Ａは、蓄電部１４０Ａから供給を受けた電力を電源部１３０Ａを介して画像表示装置１００Ａの各部に供給する。
【００２２】
本実施形態における経路切替部１５０Ａは、発電部１２０Ａと発電部１２０Ｂが生成した電力を蓄電部１４０Ａに供給する経路と、蓄電部１４０Ａから供給される電力を表示部１１０Ａ又は表示部１１０Ｂに供給する経路とをそれぞれ切り替える。
例えば、経路切替部１５０Ａは、発電部１２０Ａ、及び、発電部１２０Ｂからの電力を蓄電部１４０Ａに供給する経路を、制御部１９０Ａからの制御に応じて、発電部１２０Ａと発電部１２０Ｂとを直列に接続する経路、及び、発電部１２０Ａと発電部１２０Ｂとを並列に接続する経路のうちの何れかの経路に切り替える。
さらに、経路切替部１５０Ａは、制御部１９０Ａからの制御に応じて、発電部１２０Ａと発電部１２０Ｂとを直列に接続する経路に含まないように、発電部１２０Ａ又は発電部１２０Ｂをバイパスさせる経路に切り替える。
経路切替部１５０Ａ（経路切替部）の詳細な構成例については、後述とする。なお、本実施形態における経路切替部は、複数の画像表示装置１００における経路切替部、例えば１５０Ａ、１５０Ｂなどを組み合わせて機能させてもよい。
【００２３】
通信部１６０Ａは、他の画像表示装置１００Ｂ、１００Ｃ等との通信を行う。例えば、通信部１６０Ａは、通信処理部１９６Ａによる通信処理に応じて、他の画像表示装置１００Ｂ、１００Ｃがそれぞれ備える発電部１２０Ｂ、１２０Ｃの出力値を受信する。また、通信部１６０Ａは、通信処理部１９６Ａによる通信処理に応じて、他の画像表示装置１００Ｂ、１００Ｃなどに対して発電部１２０Ａの出力値を送信する。なお、通信部１６０Ａの通信手段として、配線を不要とする無線通信とすることが好適であり、無線ＬＡＮ、Bluetooth（登録商標）、赤外光通信などの近距離通信に適する一般的な手段が考えられる。
【００２４】
操作部１７０Ａは、ユーザーの操作に基づいて、画像表示装置１００Ａにおける各種設定項目の登録情報、及び、画像表示装置１００Ａにおける動作状態を指定する入力情報などを検出し、検出した情報を記憶部１８０Ａに記憶させる。
記憶部１８０Ａは、半導体メモリーによる記憶領域を構成に含み、画像表示装置１００Ａにおける各種設定項目の登録情報、画像表示装置１００Ａにおける動作を指定する入力情報、及び、画像表示システム１における構成情報などを記憶する。
【００２５】
制御部１９０Ａは、表示制御部１９１Ａ、電力制御部１９３Ａ、通信処理部１９６Ａを備える。
【００２６】
表示制御部１９１Ａは、予め定められる所定のシーケンスに応じて、表示部１１０Ａにおける画像の表示を制御する。例えば、所定の優先順位や更新頻度に応じて予め定められる所定のシーケンス従って、表示部１１０Ａにおける画像の表示の更新を制御してもよい。ここで所定のシーケンスに従って画像を表示する処理とは、スライドショーなどの複数の画像の順次切り替え処理などを意味する。仮に画像表示装置１００が、一般的なユーザーを対象としたフォトフレームのような装置であれば、表示される画像は個人の撮影した写真画像であり、サイネージのように商用の情報を表示する用途の装置であれば、広告を目的とするコンテンツ画像がスライドショー再生される対象となる。なお、表示制御部１９１Ａは、検出された第１電力量が予め定められた所定の値に満たない場合には、表示部１１０Ａにおける消費電力を低減するように、表示部１１０Ａの表示を制御する。
【００２７】
電力制御部１９３Ａは、他の画像表示装置との間の電力の受給方法を決定し、決定した受給方法に従って電力の交換を制御する。
上記受給方法において電力制御部１９３Ａは、表示部１１０Ａ又は表示部１１０Ｂに電力を供給する経路を、発電部１２０Ａと発電部１２０Ｂの発電状態に応じて、発電部１２０Ａが生成する電力を表示部１１０Ｂに供給する第１経路、又は、発電部１２０Ｂが生成する電力を表示部１１０Ａに供給する第２経路となるように制御する。
例えば、電力制御部１９３Ａは、発電部１２０Ａが生成する電力、及び、発電部１２０Ｂが生成する電力の供給を発電状態に応じて制御する。
上記の発電状態に応じた制御において、電力制御部１９３Ａは、検出部１２５Ａによって検出された第１物理量と、検出部１２５Ｂによって検出された第２物理量とに基づいて電力を供給する経路を制御する。
上記の第１物理量とは、発電部１２０Ａが生成する電力量に応じて変化する物理量のことであり、例えば、検出部１２５Ａ（第１検出部）が検出した発電部１２０Ａが生成した第１電力量に応じて変化する電圧、電流又は電力量のことである。
また、上記の第２物理量とは、発電部１２０Ｂが生成する電力量に応じて変化する物理量のことであり、例えば、検出部１２５Ｂ（第２検出部）が検出した発電部１２０Ｂが生成した第２電力量に応じて変化する電圧、電流又は電力量のことである。
【００２８】
また、電力制御部１９３Ａは、発電部１２０Ａが生成する第１電力量、及び、発電部１２０Ｂが生成する第２電力量の総和が多くなるように、検出された第１物理量と検出された第２物理量とに基づいて電力を供給する経路を制御する。
上記の表示部１１０Ａ又は表示部１１０Ｂに電力を供給する経路を切り替えにおいて、電力制御部１９３Ａは、表示部１１０Ａ又は表示部１１０Ｂに電力を供給する経路を切り替えるように経路切替部１５０Ａを制御する。
【００２９】
電力制御部１９３Ａは、蓄積された電力を表示部１１０Ｂに供給する経路と、蓄積された電力を表示部１１０Ａに供給する経路とを、発電状態を示す情報に応じて切り替えるように制御する。
電力制御部１９３Ａは、表示部１１０Ａと表示部１１０Ｂのうち消費電力が大きくなる表示部を推定して、蓄積した電力を推定した表示部に対して電力を供給する経路を設定する。
なお、表示部１１０Ａと表示部１１０Ｂを電子ペーパーとすることにより、表示する画像を更新する処理を行う期間の消費電力より消費電力を低減させて、更新された画像の表示を保持することができる。この場合、電力制御部１９３Ａは、表示部１１０Ｂの画像を更新する処理の期間に応じて、蓄積された電力を表示部１１０Ｂに供給する経路と、表示部１１０Ａの画像を更新する処理の期間に応じて、蓄積された電力を表示部１１０Ａに供給する経路とを、発電状態を示す情報に応じて切り替えるように制御してもよい。特に、画像表示システムにおける発電量が少なく、表示する画像の更新頻度を画像表示装置ごとに調整できる場合には、画像更新を行うため電力消費が多くなる画像表示装置に対して、供給可能な電力を集中させて効率よく利用することが可能となる。
【００３０】
通信処理部１９６Ａは、通信部１６０Ａを介して、他の画像表示装置１００Ｂ、１００Ｃ等との通信を行う。例えば、通信処理部１９６Ａは、他の画像表示装置１００Ｂ、１００Ｃに対して、他の画像表示装置１００Ｂ、１００Ｃがそれぞれ備える発電部１２０Ｂ、１２０Ｃの出力値の送信を要求するとともに、他の画像表示装置１００Ｂ、１００Ｃがそれぞれ備える発電部１２０Ｂ、１２０Ｃの出力値を受信する。また、通信処理部１９６Ａは、他の画像表示装置１００Ｂ、１００Ｃなどに対して発電部１２０Ａの出力値を送信する。
【００３１】
画像表示装置１００Ｂは、表示部１１０Ｂ、発電部１２０Ｂ、電源部１３０Ｂ、検出部１２５Ｂ、経路切替部１５０Ｂ、通信部１６０Ｂ、操作部１７０Ｂ、記憶部１８０Ｂ、制御部１９０Ｂを備える。
なお、本実施形態における検出部１２５Ｂ（第２検出部）は、発電部１２０Ｂが生成した第２電力量に応じて変化する第２物理量を検出し、検出した第２物理量に基づいて発電部１２０Ｂの発電状態を検出する。
また、本実施形態における画像表示装置１００Ｂは、蓄電部１４０Ｂを備えないものとして説明しているが、画像表示装置１００Ｂが蓄電部１４０Ｂを備えることを制限するものではない。
画像表示装置１００Ｃは、前述の画像表示装置１００Ｂと同様の構成を備えており、画像表示装置１００Ｃ内部の構成に記載を省略する。
【００３２】
図３を参照し、本実施形態における経路切替部の構成例について説明する。
図３は、本実施形態における経路切替部の構成例を示す図である。
この図３には、経路切替部１５０Ａのほか、発電部１２０Ａ、検出部１２５Ａ、蓄電部１４０Ａ、電源部１３０Ａ、表示部１１０Ａ、及び、経路切替部１５０Ａの前段にあたる経路切替部１５０Ｂが示されている。
【００３３】
経路切替部１５０Ａは、端子Ｔｂ１、Ｔｂ２、Ｔｂ３及びＴｂ４を備える。
端子Ｔｂ１は、画像表示装置１００Ｂから画像表示装置１００Ｂの経路切替部１５０Ｂを介して電力の供給を受ける。端子Ｔｂ２は、端子Ｔｂ１に供給された電力と発電部１２０Ａが発電した電力を後段に設けられる回路に供給する。経路切替部１５０Ａの場合、経路切替部１５０Ａの後段は、蓄電部１４０Ａである。端子Ｔｂ３は、蓄電部１４０Ａに蓄えられている電力の供給を受ける。端子Ｔｂ４は、端子Ｔｂ３に供給された電力を電源部１３０Ａに供給する。
経路切替部１５０Ａは、端子Ｔｂ１、端子Ｔｂ３を介して外部から電力の供給を受け、端子Ｔｂ２及びＴｂ４を介して外部に電力を供給する。
【００３４】
以下、経路切替部１５０Ａの詳細な構成の一例について説明する。
端子Ｔｂ１は、スイッチＳＷ１の接点ａと、スイッチＳＷ４の一端とに接続されており、スイッチＳＷ１において接点ａが選択されている場合に、発電部１２０Ａの負極に接続される。スイッチＳＷ１において接点ｂが選択されている場合に、発電部１２０Ａの負極は基準電位（接地電位）になる。
スイッチＳＷ４の他端が端子Ｔｂ２に接続されており、スイッチＳＷ４が導通状態にある場合、端子Ｔｂ１は、端子Ｔｂ４に接続される。なお、本実施形態において、スイッチＳＷ４が導通状態にある場合を「バイパス」接続の状態ということがある。
【００３５】
また、発電部１２０Ａの正極は、スイッチＳＷ２、スイッチＳＷ３を介して、端子Ｔｂ４に接続される。例えば、スイッチＳＷ２とスイッチＳＷ３において、ともに、それぞれの接点ａ側が選択されている場合には、発電部１２０Ａの正極からの電力が端子Ｔｂ２に供給される。また、スイッチＳＷ２とスイッチＳＷ３において、ともに、それぞれの接点ｂ側が選択されている場合には、発電部１２０Ａの正極からの電力に基づいて、電圧変換部（ＤＣＤＣ）１５１が所定の電圧に昇圧して、昇圧した電圧に基づいた電力が端子Ｔｂ２に供給される。なお、ＤＣＤＣ１５１を介する経路において、ＤＣＤＣ１５１の出力側に逆流防止用の整流素子１５２が設けられている。この整流素子１５２は、ＤＣＤＣ１５１に含まれていてもよい。
【００３６】
端子Ｔｂ２には、蓄電部１４０Ａの一端（正極側）が接続される。この蓄電部１４０Ａの他端（負極側）の電位は基準電位（接地電位）である。端子Ｔｂ３には、前述の蓄電部１４０Ａの一端（正極側）が接続されている。また、端子Ｔｂ３は、スイッチＳＷ５を導通状態にした場合に、端子Ｔｂ４に接続され、端子Ｔｂ４の電位は、端子Ｔｂ３の電位になる。端子Ｔｂ４には、電源部１３０Ａの入力端子が接続されており、電源部１３０Ａは、端子Ｔｂ４から供給される電力を変換して表示部１１０Ａなどに出力する。
なお、この図３に示される検出部１２５Ａは、発電部１２０Ａの出力電圧を検出する電圧検出部１２５ｖ、出力電流を検出する電流検出部１２５ａ、発電部１２０Ａの発電量を検出する場合の負荷とする負荷１２５ｒ、及び、発電部１２０Ａに負荷１２５ｒを接続するスイッチ部１２５ｓを備える。検出部１２５Ａは、電圧検出部１２５ｖが検出した発電部１２０Ａの出力電圧と、電流検出部１２５ａが検出した発電部１２０Ａの出力電流とを電力制御部１９３Ａに出力する。なお、検出部１２５Ａは、電圧検出部１２５ｖが検出した発電部１２０Ａの出力電圧と、電流検出部１２５ａが検出した発電部１２０Ａの出力電流とに基づいて、発電部１２０Ａの発電電力量を算出して電力制御部１９３Ａに出力してもよい。また、検出部１２５Ａは、経路切替部１５０Ａにおいて発電部１２０Ａから各部への電力の供給を遮断した状態で、発電部１２０Ａに負荷１２５ｒを接続することにより、発電部１２０Ａの発電量を負荷の変動に影響されることなく正確に検出することができる。
【００３７】
このように構成された経路切替部１５０Ａにおける各スイッチを所望の状態に設定することにより、電力を供給する経路を切り替えることができる。
図４は、経路切替部におけるスイッチの設定を示す図である。
この図４（ａ）に示されるように、経路切替部１５０Ａは、「直列（その１）」、「バイパス」及び「並列」の３つの接続構成を選択できる。
【００３８】
最初に示す「直列（その１）」の接続構成は、複数の画像表示装置１００にそれぞれ設けられている発電部を直列に接続する接続構成、要するに、発電部１２０Ｂ、発電部１２０Ａなどを直列に接続する接続構成を示す。「直列（その１）」の接続構成を選択するには、スイッチＳＷ１、ＳＷ２、ＳＷ３のそれぞれにおいて「接点ａ側」を選択し、スイッチＳＷ４を遮断状態にする。この接続構成によれば、各発電部の出力電圧を加算して高めることができる。
【００３９】
次に示す「バイパス」の接続構成は、複数の画像表示装置１００にそれぞれ設けられ、それぞれが直列に接続された発電部の中から、特定の発電部をその直列に接続された接続構成から除くためのバイパス回路を形成させる接続構成を示す。
【００４０】
次に示す「並列」の接続構成は、複数の画像表示装置１００にそれぞれ設けられている発電部を並列に接続する接続構成、要するに、発電部１２０Ｂ、発電部１２０Ａなどを並列に接続する接続構成を示す。「並列」の接続構成を選択するには、スイッチＳＷ１、ＳＷ２、ＳＷ３のそれぞれにおいて「接点ｂ側」を選択し、スイッチＳＷ４を遮断状態にする。なお、「並列」接続するにあたり、発電された電力をより効率よく利用するために、ＤＣＤＣ１５１が、並列に接続する回路の電圧をそろえるように調整してもよい。
【００４１】
なお、上記の変形例として、上記「直列（その１）」に代え、図４（ｂ）に示す「直列（その２）」としてもよい。
「直列（その２）」の接続構成は、複数の画像表示装置１００にそれぞれ設けられている発電部の出力電圧をＤＣＤＣ１５１によって調整（昇圧）した上で、直列に接続する接続構成を示す。「直列（その２）」の接続構成を選択するには、スイッチＳＷ１において「接点ａ側」を選択し、スイッチＳＷ２、ＳＷ３のそれぞれにおいて「接点ｂ側」を選択し、スイッチＳＷ４を遮断状態にする。
この接続構成によれば、各発電部の出力電圧を加算して高めることができる。
【００４２】
続いて、図５から図８を参照し、本実施形態における経路切替部による経路を選択させる制御の原理について説明する。
図５は、本実施形態における経路切替部において設定した経路を示す図である。
原理の説明をわかりやすくするために、画像表示装置１００Ａから１００ＮまでのＮ台の画像表示装置１００を用いた構成として説明する。
【００４３】
（直列接続を変更することによる効率化）
最初に直列接続の場合について説明する。
図５（ａ）は、直列接続を示す図である。図５（ｂ）は、直列接続の状態で発電量を増加させる構成に変更した場合を示す図である。
発電部１２０Ａから１２０Ｎまでが、それぞれ対応する経路切替部１５０Ａから１５０Ｎまでを介して直列に接続されている。発電部１２０Ａから１２０Ｎまでのそれぞれの出力電圧を、それぞれＶＡ、ＶＢ、ＶＣ、・・・、ＶＮによって示し、直列に接続された発電部が生成する電圧の合計値をＶＳによって示すとすれば、式（１）に示される関係がある。
【００４４】
ＶＳ＝ＶＡ＋ＶＢ＋ＶＣ＋・・・＋ＶＮ      ・・・（１）
【００４５】
また、発電部１２０Ａから１２０Ｎまでのそれぞれが出力可能な電流を、それぞれＩＡ、ＩＢ、ＩＣ、・・・、ＩＮによって示し、直列に接続された発電部の電流をＩＳによって示すとすれば、式（２）に示される関係がある。
【００４６】
ＩＳ＝ｍｉｎ（ＩＡ、ＩＢ、ＩＣ、・・・、ＩＮ）      ・・・（２）
【００４７】
なお、式（２）において、ｍｉｎ（＊）は、引数＊の内で最小値を示す関数とする。要するに、各発電部を直列に接続した場合は、それぞれの発電部が出力可能な電流値の中で最も少ない電流を流す発電部によって、直列に接続された発電部全体の電流が制限される。そのため、生成される発電量は、式（３）のようになる。
【００４８】
ＰＳ＝ＶＳ×ＩＳ
＝（ＶＡ＋ＶＢ＋ＶＣ＋・・・＋ＶＮ）×ＩＳ      ・・・（３）
【００４９】
各発電部が直列に接続された状態では、電流を制限するような状態が何れの発電部において発生しているかの判定が困難であり、本実施形態においては、例えば、次に示す方法により原因となっている発電部を検出する。
【００５０】
まず、直列に接続された全ての発電部を対象として、一時的に個々の発電部を順に１つずつ直列回路から除いた構成を形成し、それぞれの状態における直列回路としての発電電圧と、電流を順に検出する。
【００５１】
発電部１２０Ａから１２０Ｎまでの発電部を１つずつ直列回路から除いた構成の電圧をＶＳＡ、ＶＳＢ、ＶＳＣ、・・・、ＶＳＮによって示すと、式（４）によって示される関係がある。
【００５２】
ＶＳＡ＝０＋ＶＢ＋ＶＣ＋・・・＋ＶＮ
ＶＳＢ＝ＶＡ＋０＋ＶＣ＋・・・＋ＶＮ
ＶＳＣ＝ＶＡ＋ＶＢ＋０＋・・・＋ＶＮ
・・・
ＶＳＮ＝ＶＡ＋ＶＢ＋ＶＣ＋・・・＋０
・・・（４）
【００５３】
何れかの発電部を除いて直列に接続された発電部の電圧と電流を、ＶＳ’とＩＳ’とによって示すとすれば、その場合の発電量ＰＳ’は、式（５）によって示される関係がある。
【００５４】
ＰＳ’＝ＶＳ’×ＩＳ’      ・・・（５）
【００５５】
仮に、発電部１２０Ｂの発電量が低下しているとすれば、発電部１２０Ｂを除いて構成した場合の電流値ＩＳ’が、他の発電部を除いて構成された場合の電流値ＩＳより大きくなる。このような場合、発電部１２０Ｂに起因して、電流が制限されている状態が発生していたと推定できる。そこで、発電部１２０Ｂを除いて構成した場合の発電量ＰＳ’を式（６）に整理する。
【００５６】
ＰＳ’＝ＶＳ’×ＩＳ’＝ＶＳＢ×ＩＳＢ＝（ＶＡ＋０＋ＶＣ＋・・・＋ＶＮ）×ＩＳＢ
・・・（６）
【００５７】
式（３）と式（６）とを比べると、式（３）に示される電圧より式（６）に示される電圧のほうが低くなるが、式（３）に示される電流より式（６）に示される電流のほうが増加している。
【００５８】
上記の関係を、図６を参照して説明する。
図６は、前述の図５に示す構成に対応する発電量を示す図である。この図６（ａ）、（ｂ）は、それぞれ前述の図５（ａ）、（ｂ）に対応する。図６（ａ）、（ｂ）は、横軸がそれぞれの発電部の電圧を示し、縦軸が電流を示す。
複数の発電部を直列に連ねている場合、例えば、仮に発電部１２０Ｂを直列に接続された構成から除き、電圧がＶＳからＶＳ’に低下したとしても、電流がＩＳからＩＳ’に増加することがおこりうる。このような状態にあれば、図６においてハッチングで示す領域の面積が図６（ａ）に比べ図６（ｂ）のほうが広くなる場合が容易におこりうることが明らかであり、特定の発電部（例えば、発電部１２０Ｂ）を直列回路から除いたことに応じて発電量が増加することがわかる。
【００５９】
（並列接続に変更することによる効率化）
続いて、並列接続にした場合について説明する。
図７は、本実施形態における経路切替部において設定した経路を示す図である。
前述の図５と同様に、原理の説明をわかりやすくするために、画像表示装置１００Ａから１００ＮまでのＮ台の画像表示装置１００を用いた構成として説明する。
図７（ａ）は、前述の図５（ａ）と同様の直列接続を示す図である。図７（ｂ）は、並列接続の状態で発電量を増加させる構成を示す図である。ただし、図７（ｂ）に示す構成は、各発電部と各経路切替部の構成を模式的に示すものであり、経路切替部内の一部の構成を省略している。
ここで、説明を簡略化するために、各発電部が生成した電圧は、何れも所定の値（ＶＰ）とする。要するに、発電部１２０Ａから１２０Ｎまでの発電部の電圧をＶＰＡ、ＶＰＢ、ＶＰＣ、・・・、ＶＰＮとすれば、式（７）に示す関係がある。
【００６０】
ＶＰ＝ＶＰＡ＝ＶＰＢ＝ＶＰＣ＝・・・＝ＶＮ      ・・・（７）
【００６１】
一方、各発電部が流すことができる電流は、それぞれの発電部に応じて異なる。
ここで、発電部１２０Ａから１２０Ｎまでの発電部が流せる電流を、ＩＰＡ、ＩＰＢ、ＩＰＣ、・・・、ＩＰＮとして示す。
【００６２】
また、並列接続に基づいて、発電部が発電できる発電量ＰＰは、式（８）によって示される関係がある。
【００６３】
ＰＰ＝ＶＰｋ×ＩＰｋ
＝（ＶＰＡ×ＩＰＡ＋ＶＰＢ×ＩＰＢ＋ＶＰＣ×ＩＰＣ＋・・・＋ＶＰＮ×ＩＰＮ）
・・・（８）
【００６４】
なお、式（８）におけるｋは、「Ａ」から「Ｎ」を示す。
【００６５】
上記の関係を、図８を参照して説明する。
図８は、前述の図７に示す構成に対応する発電量を示す図である。この図８（ａ）、（ｂ）は、それぞれ前述の図７（ａ）、（ｂ）に対応する。図８（ａ）、（ｂ）は、横軸がそれぞれの発電部の電圧を示し、縦軸が電流を示す。
複数の発電部を並列接続にした場合、上記の式（８）に示すように、各発電部からの電力を無駄なく纏めることができる。纏められた電力は、蓄電部１４０Ａに供給されて蓄積されるとともに、各表示部の表示のための電力として利用することができる。
【００６６】
前述のように複数の発電部を直列にしている構成から一部の発電部を除く場合、例えば、発電部１２０Ｂを直列に接続された構成から除く場合には、構成から除いた一部の発電部（例えば、発電部１２０Ｂ）の発電量を利用できなくなる。
並列接続に変更した場合には、発電量（出力可能な電流）が少なくても、ともに利用することができるので、電力供給の面で不要となる発電部が生じない。そのため、発電可能でありながら発電した電力を利用できなくなるという無駄を回避することができる。
なお、上記の説明において、ＤＣＤＣ１５１を利用する場合の説明を省略しているが、ＤＣＤＣ１５１によって電圧調整を行う場合には、ＤＣＤＣ１５１における変換効率などを加味することが厳密な計算においては必要になる。
【００６７】
図９を参照し、本実施形態における電力供給制御の手順について説明する。
図９は、本実施形態における電力供給制御のフローチャートである。
【００６８】
制御部１９０Ａ（電力制御部１９３Ａ）は、記憶部１８０Ａに記憶されている現在の構成の構成情報に対応する直列接続の構成における発電量を、各画像表示装置における各検出部によって検出された結果に基づいて検出する（ステップＳ１０）。次に、制御部１９０Ａ（電力制御部１９３Ａ）は、各画像表示装置における個々の発電部の発電量を検出する（ステップＳ２０）。個々の発電部の発電量に応じた物理量（例えば、電圧、電流など）を、各画像表示装置における検出部がそれぞれ検出し、検出した物理量を制御部１９０Ａが収集する。次に、制御部１９０Ａ（電力制御部１９３Ａ）は、直列接続の構成による発電量を推定する(ステップＳ３０)。例えば、制御部１９０Ａ（電力制御部１９３Ａ）は、一部の発電部を直列接続の構成に含まない直列接続の構成による発電量を推定する(ステップＳ３０)。次に、制御部１９０Ａ（電力制御部１９３Ａ）は、並列接続の構成による発電量の推定する(ステップＳ４０)。次に、制御部１９０Ａ（電力制御部１９３Ａ）は、直列接続の構成、並列接続の構成のそれぞれの推定結果に基づいて、発電量を高める構成を算定する(ステップＳ５０)。次に、制御部１９０Ａ（電力制御部１９３Ａ）は、発電量を高める構成として算定された結果に基づいて、各発電部から電力を供給する経路を形成する構成を変更する（ステップＳ６０）。次に、制御部１９０Ａ（電力制御部１９３Ａ）は、変更された構成に従って電力の供給を制御する(ステップＳ７０)。次に、制御部１９０Ａ（表示制御部１９１Ａ）は、各表示部への表示方法を制御する(ステップＳ８０)。
【００６９】
以上の実施形態に示したように、画像表示システム１は、発電した電力を複数の画像表示装置１００で有効に利用することができる。
【００７０】
なお、本実施形態の画像表示装置１００を複数接続して使用する場合には、まず、画像表示装置１００同士を接続するときに、それぞれの画像表示装置１００の発電状態を検出し、直列接続することで合計の発電量が落ちてしまうと判断された画像表示装置１００の発電部（太陽電池）をバイパスして直列接続を行ってもよい。
接続構成を変更するか否かの判断条件の一つは、画像表示装置１００において発電される合計の電力量（合計の電圧値×電流値）である。それゆえ、仮に一つの画像表示装置１００の発電量（電流値）がわずかに少ない程度であれば、当該画像表示装置１００をバイパスしないほうが合計の電力が高い結果になることも生じうる。そこで、直列に接続している画像表示装置１００の装置数と、電流値の低下量に依るため、直列に接続する装置数と照明光の遮蔽具合によってバイパスをするか否かの判定結果を変更しても良い。
【００７１】
また、電力を消費する段階で、実際には画像表示装置１００全体として必要な電圧に昇圧あるいは降圧する必要がある。画像表示装置１００が経路切替部を介して蓄電部に供給する電圧、蓄電部から表示用の電圧として表示部に供給する電圧などは、その回路に適した電圧にしておくことにより、変換効率を高めることができる。
【００７２】
なお、供給経路を共有することによって、発電部から供給される電力は、供給経路において纏めて送られる。纏めて送られた電力は、二次電池やキャパシタなどの蓄電部１４０Ａに蓄積（バッファ）される。なお、これらの電力を、発電部は、各画像表示装置１００がそれぞれ供える蓄電部に振り分けても良いし、本実施形態に示したように特定の装置にのみ蓄えても良い。
【００７３】
なお、発電部の発電量が不足したことにより、当該発電部がバイパスされた画像表示装置における画像表示は、他の画像表示装置と同様に画像表示を行うことを基本とする。ただし、例えば画像表示装置が不調であることや、十分な発電量を得ることができなくなるほど照明が著しく遮られていることなどを示すために、通常とは異なる表示内容（アラートの表示など）を示すようにしたり、当該画像表示装置に限り表示を行わなくしたりするなどの制御を行うことも可能である。
【００７４】
画像表示システム１は、画像表示装置の発電部（太陽電池）を直列に接続して単に発電効率を高めているだけでなく、上記のような制御を行うことによって、いくつかの画像表示装置の発電部（太陽電池）が不調、あるいは遮蔽されていて十分な発電ができない状態が生じていても、発電量を得ることができなくなった画像表示装置に電力を供給することができる。画像表示システム１は、画像表示装置１００同士が電力の供給を補完し合うことで、画像表示システム１の総体として画像表示の機能が損なわれることなく、表示を行うことができるという効果を奏する。
【００７５】
なお、上述の実施形態の要件は、発明の技術的な特徴に影響のない範囲で適宜変更することができる。また、一部の構成要素を用いない場合もある。
なお、画像表示装置１００Ａは、画像表示装置１００Ｂ、画像表示装置１００Ｃのそれぞれの表示面や受光面の一部を遮るように配置しても良い（図１参照）。例えば、画像表示装置１００Ｃのそれぞれの表示面や受光面の一部を遮るような状態とは、表示面１１Ｃを法線方向から平面視して、表示面１１Ｃや受光面１２Ｃの一部が、画像表示装置１００Ａや画像表示装置１００Ｂの筐体と重なって隠れたように配置されている状態をいう。このような場合には、画像表示装置１００Ａ、画像表示装置１００Ｂ、画像表示装置１００Ｃのそれぞれを配置した段階で、それぞれの受光面に照射される光量が、画像表示装置１００ごとに異なるものとなる。画像表示システム１は、このように画像表示装置１００がそれぞれ配置された場合であっても、画像表示システム１内の電力供給と表示を調整することにより、システム全体として有効に機能させることができる。
【００７６】
なお、上記の実施形態における画像表示装置１００が備える各部は、専用のハードウェアにより実現されるものであってもよく、また、メモリー及びマイクロプロセッサにより実現させるものであってもよい。
【００７７】
なお、この画像表示装置１００が備える各部は、メモリー及びＣＰＵ（演算処理装置）により構成され、画像表示装置１００が備える各部の機能を実現するためのプログラムをメモリーにロードして実行することによりその機能を実現させるものであってもよい。
【００７８】
また、画像表示装置１００が備える各部の機能を実現するためのプログラムをコンピュータ読み取り可能な記録媒体に記録して、この記録媒体に記録されたプログラムをコンピュータシステムに読み取らせて、実行することにより各部による処理を行ってもよい。なお、ここでいう「コンピュータシステム」とは、ＯＳや周辺機器等のハードウェアを含むものとする。
【００７９】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリーのように、一定時間プログラムを保持しているものも含むものとする。また上記プログラムは、前述した機能の一部を実現するためのものであってもよく、さらに前述した機能をコンピュータシステムにすでに記録されているプログラムとの組合せで実現できるものであってもよい。
【符号の説明】
【００８０】
１  画像表示システム
１００、１００Ａ、１００Ｂ、１００Ｃ、１００Ｎ  画像表示装置、
１１０Ａ、１１０Ｂ  表示部、
１２０Ａ、１２０Ｂ  発電部、
１５０Ａ、１５０Ｂ  経路切替部、
１９０Ａ、１９０Ｂ  制御部
【図１】
2014021906.tif 000003
【図２】
2014021906.tif 000004
【図３】
2014021906.tif 000005
【図４】
2014021906.tif 000006
【図５】
2014021906.tif 000007
【図６】
2014021906.tif 000008
【図７】
2014021906.tif 000009
【図８】
2014021906.tif 000010
【図９】
2014021906.tif 000011